(57)【要約】【課題】ＰＤＰのような１画素のサイズが大きなディスプレイにおいて、パソコン画像のような輪郭が明確な画像を表示した場合における輪郭部分での色ずれを防止した輪郭色補正回路を提供すること。【解決手段】入力された映像信号の着目画素とそれに隣接する画素のＲ、Ｇ、Ｂの各信号のレベル差から、両画素間の色ずれ発生量を検出する色ずれ検出部と、この色ずれ検出部で検出した色ずれ発生量に、予め設定された係数を掛けて補正量を演算する補正量演算部と、この補正量演算部で求めた補正量を映像信号に加減して補正をする加算部とからなる。【選択図】　　図１
2004061930.tif 000002
【特許請求の範囲】
【請求項１】
入力された映像信号の着目画素とそれに隣接する画素のＲ、Ｇ、Ｂの各信号のレベル差から、両画素間の色ずれ発生量を検出する色ずれ検出部と、この色ずれ検出部で検出した色ずれ発生量に、予め設定された係数を掛けて補正量を演算する補正量演算部と、この補正量演算部で求めた補正量を映像信号に加減して補正をする加算部とからなることを特徴とする輪郭色補正回路。
【請求項２】
入力された映像信号の着目画素とそれに隣接する画素のＲ、Ｇ、Ｂの各信号のレベル差から、両画素間の色ずれ発生量を検出する色ずれ検出部と、この色ずれ検出部で検出した色ずれ発生量に、予め設定された係数を掛けて補正量を演算する補正量演算部と、この補正量演算部で求めた補正量を映像信号に加減して補正をする加算部とからなり、前記補正量演算部は、補正量が一定値に達しているかを判断する閾値判別部を具備し、この閾値判別部において判別された補正量が一定値を超えていた場合にのみ前記補正量を映像信号に加減してなることを特徴とする輪郭色補正回路。
【請求項３】
入力された映像信号の着目画素とそれに隣接する画素のＲ、Ｇ、Ｂの各信号のレベル差から、両画素間の色ずれ発生量を検出する色ずれ検出部と、この色ずれ検出部で検出した色ずれ発生量に、予め設定された係数を掛けて補正量を演算する補正量演算部と、この補正量演算部で求めた補正量を映像信号に加減して補正をする加算部とからなり、前記補正量演算部は、隣接する画素に対する補正量を記憶する記憶部を具備し、着目画素の補正は、前記記憶部に記憶された隣接画素の補正量が０の場合のみ、着目画素の補正量を映像信号に加減してなることを特徴とする輪郭色補正回路。
【請求項４】
入力された映像信号の着目画素とそれに隣接する画素のＲ、Ｇ、Ｂの各信号のレベル差から、両画素間の色ずれ発生量を検出する色ずれ検出部と、この色ずれ検出部で検出した色ずれ発生量に、予め設定された係数を掛けて補正量を演算する補正量演算部と、この補正量演算部で求めた補正量を映像信号に加減して補正をする加算部とからなり、前記補正量演算部は、信号レベルが一定値以上の信号に隣接した信号部分にのみ補正をするための閾値設定部を具備したことを特徴とする輪郭色補正回路。
【請求項５】
入力された映像信号の着目画素とそれに隣接する画素のＲ、Ｇ、Ｂの各信号のレベル差から、両画素間の色ずれ発生量を検出する色ずれ検出部と、この色ずれ検出部で検出した色ずれ発生量に、予め設定された係数を掛けて補正量を演算する補正量演算部と、この補正量演算部で求めた補正量を映像信号に加減して補正をする加算部とからなり、前記補正量演算部は、色ずれ検出部で検出した両画素間の色ずれ発生量が同一レベルであってもＲ、Ｇ、Ｂの信号毎に補正係数を異なる値に設定して補正量を演算することを特徴とする輪郭色補正回路。
【請求項６】
入力された映像信号の着目画素とそれに隣接する画素のＲ、Ｇ、Ｂの各信号のレベル差から、両画素間の色ずれ発生量を検出する色ずれ検出部と、この色ずれ検出部で検出した色ずれ発生量に、予め設定された係数を掛けて補正量を演算する補正量演算部と、この補正量演算部で求めた補正量を映像信号に加減して補正をする加算部とからなり、前記補正量演算部は、暗から明へ信号レベルが変化した場合の色ずれと明から暗へ信号レベルが変化した場合とで補正係数を異なる値に設定して補正量を演算することを特徴とする輪郭色補正回路。
【請求項７】
着目画素の信号をＲ２、Ｇ２、Ｂ２とし、隣接画素の信号をＲ１、Ｇ１、Ｂ１、及び、Ｒ３、Ｇ３、Ｂ３としたとき、補正量演算部は、Ｒ信号について、減算補正量ΔＲ２ｍと加算補正量ΔＲ２ｐをそれぞれ（１）式と（２）式にて求め、（３）式にてＲ２の映像出力Ｒ２´を求め、Ｂ信号について、減算補正量ΔＢ２ｍと加算補正量ΔＢ２ｐをそれぞれ（４）式と（５）式にて求め、（６）式にてＢ２の映像出力Ｂ２´を求め、Ｇ信号について、第１の減算補正量ΔＧ２ｍ１と第２の減算補正量ΔＧ２ｍ２をそれぞれ（７）式と（８）式にて求め、（９）式にてＧ２の映像出力Ｇ２´を求めるようにしたことを特徴とする請求項１、２、３、４、５又は６記載の輪郭色補正回路。
但し、ｍｉｎ（Ａ，Ｂ）＝Ａ（Ａ≦Ｂ），Ｂ（Ａ＞Ｂ）とし、（１）、（２）、（４）、（５）、（７）、（８）式の値は、０又は負のとき０とし、Ｋｒｍ、Ｋｒｐ、Ｋｂｍ、Ｋｂｐ、Ｋｇｍ１、Ｋｇｍ２は、補正量演算部に記憶された補正係数とする。
ΔＲ２ｍ＝Ｋｒｍ×｛ｍｉｎ（Ｒ２，Ｇ２）−ｍｉｎ（Ｒ１，Ｇ１）｝　・・・（１）
ΔＲ２ｐ＝Ｋｒｐ×｛ｍｉｎ（Ｂ１，Ｒ１）−ｍｉｎ（Ｂ２，Ｒ２）｝　　・・・（２）
Ｒ２´＝Ｒ２−ΔＲ２ｍ＋ΔＲ２ｐ　　　　　　　・・・（３）
ΔＢ２ｍ＝Ｋｂｍ×｛ｍｉｎ（Ｂ２，Ｇ２）−ｍｉｎ（Ｂ３，Ｇ３）｝　・・・（４）
ΔＢ２ｐ＝Ｋｂｐ×｛ｍｉｎ（Ｒ３，Ｂ３）−ｍｉｎ（Ｒ２，Ｂ２）｝　　・・・（５）
Ｂ２´＝Ｂ２−ΔＢ２ｍ＋ΔＢ２ｐ　　　　　　　・・・（６）
ΔＧ２ｍ１＝Ｋｇｍ１×｛ｍｉｎ（Ｇ２，Ｂ２）−ｍｉｎ（Ｇ１，Ｂ１）｝　・・・（７）
ΔＧ２ｍ２＝Ｋｇｍ２×｛ｍｉｎ（Ｇ２，Ｒ２）−ｍｉｎ（Ｇ３，Ｒ３）｝　・・・（８）
Ｇ２´＝Ｇ２−ΔＧ２ｍ１−ΔＧ２ｍ２　　　　　　　・・・（９）
【請求項８】
補正量演算部の入力側に、映像入力信号の種類を判別する信号判別部を接続し、この信号判別部での判別結果が輪郭の明確な画像と判別した場合のみ補正量を出力するようにしたことを特徴とする請求項１、２、３、４、５、６又は７記載の輪郭色補正回路。
【発明の詳細な説明】
【０００１】
【発明の属する技術分野】
本発明は、ディジタル映像信号処理技術に関し、ＰＤＰの様な画素の大きなディスプレイに、パソコン画像のような輪郭が明確な画像を表示した場合に生ずる輪郭部分の色ずれを防ぐための輪郭色補正回路に関するものである。
【０００２】
【従来の技術】
最近、薄型、軽量の表示装置として、ＰＤＰ（プラズマ・ディスプレイ・パネル）が注目されている。このＰＤＰの駆動方式は、従来のＣＲＴ駆動方式とは全く異なっており、ディジタル化された映像入力信号による直接駆動方式である。したがって、パネル面から発光される輝度階調は、扱う信号のビット数によって定まる。ＰＤＰは基本的特性の異なるＡＣ型とＤＣ型の２方式に分けられるが、ここで、一例としてＡＣ型ＰＤＰの構造を図面に基づいて説明する。
【０００３】
図６において、表示面側の表面ガラス基板１１の下面に、対になるＸサスティン電極１２とＹサスティン電極１３を透明電極と補助電極で形成する。補助電極は、透明電極の抵抗による電圧降下を防ぐため、バス電極２３を透明電極の一部に形成する。これらＸサスティン電極１２とＹサスティン電極１３の上に誘電体層１４を設け、その上に各セル間の結合を分離するためにストライブ状リブ１８を形成する。さらに、ＭｇＯ膜からなる保護層１５を蒸着する。対向する裏面ガラス基板１６上には、アドレス電極１７を形成する。アドレス電極１７間にストライプ状のストライブ状リブ１８を設け、さらにアドレス電極１７を被覆するようにしてＲ（赤）螢光体１９、Ｇ（緑）螢光体２０、Ｂ（青）螢光体２１を塗分けて形成する。放電空間２２には、Ｎｅ＋Ｘｅ混合ガスが封入される。
【０００４】
このような構成において、１フレームは、例えば、輝度の相対比が１、２、４、８、１６、３２、６４、１２８の８個のサブフィールドで構成され、８画面の輝度の組み合わせで２５６階調の表示を行う。それぞれのサブフィールドは、リフレッシュした１画面分のデータの書込みを行うアドレス期間とそのサブフィールドの輝度レベルを決めるサスティン期間で構成され、アドレス期間では、最初全画面同時に各ピクセルに初期的に壁電荷が形成され、その後サスティンパルスが全画面に与えられ表示を行う。
【０００５】
ここで、図７は、上述した図６で説明したＰＤＰの構成における各画素の配置を模式的に表したものである。この図７に示すように、各画素は縦長の３つのセルによって、左からＲ、Ｇ、Ｂ（又はＢ、Ｇ、Ｒ）の順で１画素を構成している。このＲ、Ｇ、Ｂの３つのセルを点灯させるときの輝度レベルの組合わせで１画素の色彩を表現している。
【０００６】
【発明が解決しようとする課題】
上記のようなＰＤＰでは、１画素は３つのセルで構成されるが、画面サイズが大きくなるにつれて、当然各画素を形成するセルの大きさも大きくなり、各セルの相対的な距離も長くなる。１画素のサイズが大きくなり、各セルの密度が人間の分解能を超えた場合、パソコン画像のような輪郭が明確な画像を表示したときに、Ｒ、Ｇ、Ｂの各セルの空間的な位置の違いにより、輪郭部分に色ずれが生じてしまう。この現象を、図２（ａ）、図３（ａ）、図４（ａ）及び図５（ａ）を用いて説明する。
【０００７】
図５（ａ）は、セルが左から（Ｒ、Ｇ、Ｂ）１、（Ｒ、Ｇ、Ｂ）２、・・・の順で繰り返し並んでいるＰＤＰにおいて、パソコン画像のように輪郭が明確な、すなわち、隣接する信号のレベル差が極端な画像を表示した場合の色ずれの様子を模式的に表したものである。この図５（ａ）において、画素（Ｒ、Ｇ、Ｂ）１は黒を表現した画素とし、画素（Ｒ、Ｇ、Ｂ）２及び画素（Ｒ、Ｇ、Ｂ）３は白を表現した画素とした場合を例として説明する。（Ｒ、Ｇ、Ｂ）２の信号の先端から左右斜め下に伸びる直線ｒ、ｇ、ｂは、（Ｒ、Ｇ、Ｂ）２が左右に広がって見える人間の視覚特性を表している。
【０００８】
このような場合において、画素（Ｒ、Ｇ、Ｂ）１におけるＲ１、Ｇ１、Ｂ１が全て０レベルの黒から、画素（Ｒ、Ｇ、Ｂ）２におけるＲ２、Ｇ２、Ｂ２が全て最高レベルの白へ極端な変化があったような場合、Ｒ２の左斜め下にのびた視覚特性によって、画素（Ｒ、Ｇ、Ｂ）１上に色の広がりが発生する。同様にＧ２、Ｂ２についても、左斜め下にのびた視覚特性によって、画素（Ｒ、Ｇ、Ｂ）１上に色の広がりが発生する。これらＲ２、Ｇ２、Ｂ２のうち、Ｇ２、Ｂ２の左斜め下にのびた視覚特性は、他の画素の広がりと混合されるため、単色で認識されることはないが、Ｒ２による斜線で示す部分の広がりは、他のＧ２、Ｂ２の広がりと重ならないため、この図５（ａ）の例では、画素（Ｒ、Ｇ、Ｂ）１と画素（Ｒ、Ｇ、Ｂ）２の境界部分で、Ｇ１、Ｂ１、Ｒ２で１画素を構成するように認識されて、Ｒ２の広がりによって赤色が認識されてしまう現象が生じる。白を表現した画素（Ｒ、Ｇ、Ｂ）ｎ−２、画素（Ｒ、Ｇ、Ｂ）ｎ−１から黒を表現した画素（Ｒ、Ｇ、Ｂ）ｎへ変化した後端部においても同様に、Ｂ（ｎ−１）による視覚特性の広がりによって、白の後端の輪郭が青色に見えてしまう。
【０００９】
上記図５（ａ）の場合と同様に、図２（ａ）のＲ、Ｇの信号で構成された画素の場合には、先端部でＲ２の広がりによって赤色が認識されてしまい、後端部でＧ（ｎ−１）の広がりによって緑色が認識されてしまう。
図３（ａ）のＲ、Ｂの信号で構成された画素の場合には、先端部でＲ２の広がりによって赤色が認識されてしまい、後端部でＢ（ｎ−１）の広がりによって青色が認識されてしまう。
図４（ａ）のＧ、Ｂの信号で構成された画素の場合には、先端部でＧ２の広がりによって緑色が認識されてしまい、後端部でＢ（ｎ−１）の広がりによって青色が認識されてしまう。
【００１０】
本発明は、上記問題点に鑑みなされたもので、ＰＤＰのような１画素のサイズの大きなディスプレイにおいて、パソコン画像のような輪郭が明確な画像を表示した場合であっても、その輪郭部分で色ずれが発生することのない輪郭色補正回路を提供することを目的とするものである。
【００１１】
【課題を解決するための手段】
本発明は、映像信号入力端子から入力された映像信号のうち、着目画素とそれに隣接する画素のＲ、Ｇ、Ｂの各信号レベルを比較して、色ずれの発生及び色ずれの大きさを検出する色ずれ検出部と、色ずれ検出部で検出した色ずれの大きさに基づいて、その色ずれの大きさを打ち消すための補正量を演算する補正量演算部と、この補正量演算部で求めた補正量を映像信号に加減して補正をする加算部とからなることを特徴とする輪郭色補正回路である。
【００１２】
このような構成とすることで、ＰＤＰのような１画素のサイズが大きなディスプレイにおいて、パソコン画像のような輪郭が明確な画像を表示した場合であっても、その輪郭部分で色ずれが発生することがない。
【００１３】
【発明の実施の形態】
本発明の実施の形態を図面に基づいて説明する。
本発明は、１画素のサイズが人間の分解能で認識できる程度に大きなディスプレイにおいて、表示する画像の輪郭部分、特にパソコン画像のような輪郭が明確な画像を表示した場合の輪郭部分において発生する色ずれを補正する装置及び方法を対象とするものである。
【００１４】
本発明の代表的な色ずれ補正例として、図２（ｂ）、図４（ｂ）、図５（ｂ）に示すような補正量を削除する例と、図３（ｂ）に示すような補正量を付加する例とを説明する。
（１）補正量を削除する例
図２（ｂ）において、Ｒ１、Ｇ１、Ｂ１は、画素（Ｒ、Ｇ、Ｂ）１の３つのセルを表し、Ｒ２、Ｇ２、Ｂ２は、画素（Ｒ、Ｇ、Ｂ）２の３つのセルを表し、Ｒ３、Ｇ３、Ｂ３は、画素（Ｒ、Ｇ、Ｂ）３の３つのセルを表している。これらのうち、画素（Ｒ、Ｇ、Ｂ）１は黒色、画素（Ｒ、Ｇ、Ｂ）２及び（Ｒ、Ｇ、Ｂ）３は黄色をそれぞれ表示しているものとする。
この画素（Ｒ、Ｇ、Ｂ）１におけるＲ１、Ｇ１、Ｂ１の信号レベルが全て０の図２（ｂ）において、Ｒ２、Ｇ２の信号の先端から左斜め下に伸びる直線ｒ、ｇは、それぞれ人間の視覚特性によってＲ２、Ｇ２が広がって見える様子を模式的に表しているものである。Ｒ２の信号レベルがＧ２の視覚特性直線ｇよりも下側にある場合は混色されて色ずれはあまり気にならないが、Ｒ２の信号レベルが直線ｇよりも上側にある場合は、特に直線ｒの裾の部分で赤の単色で見えてしまうため、輪郭部分で赤色が目立って見えてしまうことになる。このＲ２の信号のうち、直線ｇよりも上側にある点線部分が色ずれの原因となるため、本発明ではこれを色ずれ発生量ΔＲ２ｍ（ｍはマイナスを意味する）として検出して、図２（ｂ）に実線で示すように、Ｒ２信号が直線ｇよりも内側になるように削除する補正をすることで、輪郭部分における色ずれを抑える。図２（ｂ）の後端部における画素（Ｒ、Ｇ、Ｂ）（ｎ−２）、画素（Ｒ、Ｇ、Ｂ）（ｎ−１）、画素（Ｒ、Ｇ、Ｂ）ｎでの補正も同様の処理をする。
【００１５】
図４（ｂ）において、画素（Ｒ、Ｇ、Ｂ）１は黒色、画素（Ｒ、Ｇ、Ｂ）２（Ｒ、Ｇ、Ｂ）及び（Ｒ、Ｇ、Ｂ）３はシアン色をそれぞれ表示しているものとする。この図４（ｂ）において、Ｇ２、Ｂ２の信号の先端から左斜め下に伸びる直線ｇ、ｂは、図２（ｂ）と同様、それぞれ人間の視覚特性によってＧ２、Ｂ２が広がって見える様子を模式的に表しているもので、Ｇ２の信号レベルが直線ｂよりも下側にある場合は混色されて色ずれはあまり気にならないが、Ｇ２の信号レベルが直線ｂよりも上側にある場合は、特に直線ｇの裾の部分で緑の単色で見えてしまう。このため、このＧ２の信号のうち、直線ｂよりも上側にある点線部分を色ずれ発生量ΔＧ２ｍとして検出して、図４（ｂ）に実線で示すように、Ｇ２信号が直線ｂよりも内側になるように削除する補正をすることで、輪郭部分における色ずれを抑える。図４（ｂ）の後端部における画素（Ｒ、Ｇ、Ｂ）（ｎ−２）、画素（Ｒ、Ｇ、Ｂ）（ｎ−１）、画素（Ｒ、Ｇ、Ｂ）ｎでの補正も同様の処理をする。
【００１６】
図５（ｂ）において、画素（Ｒ、Ｇ、Ｂ）１は黒色、画素（Ｒ、Ｇ、Ｂ）２及び（Ｒ、Ｇ、Ｂ）３は白色をそれぞれ表示しているものとする。この図５（ｂ）において、（Ｒ、Ｇ、Ｂ）２の信号の先端から左斜め下に伸びる直線ｒ、ｇ、ｂは、図２（ｂ）と同様、それぞれ人間の視覚特性によってＲ２、Ｇ２、Ｂ２が広がって見える様子を模式的に表しているもので、Ｒ２の信号レベルが直線ｇよりも下側にある場合は混色されて色ずれはあまり気にならないが、Ｒ２の信号レベルが直線ｇよりも上側にある場合は、特に直線ｒの裾の部分で赤の単色で見えてしまうため、このＲ２の信号のうち、直線ｇよりも上側にある点線部分を色ずれ発生量ΔＲ２ｍとして検出して、図５（ｂ）に実線で示すように、Ｒ２信号が直線ｇよりも内側になるように削除する補正をすることで、輪郭部分における色ずれを抑える。図５（ｂ）の後端部における画素（Ｒ、Ｇ、Ｂ）（ｎ−２）、画素（Ｒ、Ｇ、Ｂ）（ｎ−１）、画素（Ｒ、Ｇ、Ｂ）ｎでの補正も同様の処理をする。
【００１７】
（２）補正量を付加する例
図３（ｂ）において、画素（Ｒ、Ｇ、Ｂ）１は黒色、画素（Ｒ、Ｇ、Ｂ）２及び（Ｒ、Ｇ、Ｂ）３はマゼンタ色をそれぞれ表示しているものとする。この図３（ｂ）において、Ｒ２、Ｂ２の信号の先端から左斜め下に伸びる直線ｒ、ｂは、人間の視覚特性によってＲ２、Ｂ２が広がって見える様子を模式的に表しているものである。Ｒ２の信号レベルが直線ｂよりも下側にある場合は混色されて色ずれはあまり気にならないが、Ｒ２の信号レベルが直線ｂよりも上側にある場合は、赤の単色で見えてしまうため、輪郭部分で赤色が目立って見えてしまうことになる。このＲ２の信号のうち、直線ｂよりも上側にある部分が色ずれの原因となる。ここで、前記（１）と同様、Ｒ２信号が直線ｂよりも内側に来るように補正すれば、輪郭部分における色ずれを抑えることが可能である。しかし、Ｒ２とＢ２の２つのセルは、互いの距離が離れているため、Ｒ２信号を削除する補正を行うと、輪郭が右に移動したように認識させてしまうという問題が生じる。
【００１８】
そこで、図３（ｂ）に示すように、Ｒ２信号を減少させる替わりに、Ｂ１信号部分を付加させる補正を行う。この補正は、Ｒ２の視覚特性線ｒに達する、又は、視覚特性線ｒに近づくように、前画素のＢ１が補正量ΔＢ１ｐ（ｐはプラスを意味する）となるように新たに付加するものである。図３（ｂ）の後端部における画素（Ｒ、Ｇ、Ｂ）（ｎ−２）、画素（Ｒ、Ｇ、Ｂ）（ｎ−１）、画素（Ｒ、Ｇ、Ｂ）ｎでの補正も同様の処理をする。
このような補正をすることで、輪郭が右に移動してしまうという問題は解消されるとともに、色ずれも補正される。この図３（ｂ）のように、付加させる補正を行う場合と、前記図２（ｂ）、図４（ｂ）、図５（ｂ）のように、一部削除する補正を行う場合との判断は、後述する演算式によって判断されるものである。
【００１９】
次に、具体的回路に基づき説明する。図１は、本発明による輪郭色補正装置のブロック図である。この図１において、映像信号入力端子２４から入力した映像入力信号は、色ずれ検出部２５と信号判別部部３０と遅延回路２９に入力される。この色ずれ検出部２５では、同一画素内及び隣接画素のＲＧＢの各信号レベルを比較して輪郭部分を検出し、その輪郭部分に色ずれが発生しているかを判断し、色ずれが生じている場合には、その色ずれ発生量を演算により検出する。この色ずれ検出部２５での色ずれの演算は、後述する式による。補正量演算部２６はＲＯＭからなり、各種の係数が記憶されている。この補正量演算部２６には、入力端子３１からの予め設定したディスプレイの画素の大きさ（画面サイズの大きなＰＤＰは当然画素も大きくなる）のうちどのランクに入るかを表す信号と、信号判別部３０からの入力映像信号がパソコン信号のときの判別信号とが入力される。そして、補正量演算部２６は、これら２つの信号に基づき、色ずれ検出部２５からの出力にどの係数を掛けて出力するかを演算し、その補正後のデータを加算部２７に出力する。加算部２７では、映像信号入力端子２４からの映像入力信号を補正量演算部２６からの出力とのタイミングを合わせるための遅延回路２９を介した映像入力信号と、前記補正量演算部２６からの出力を加算して、映像信号出力端子２８から出力する。
【００２０】
連続する３つの画素（Ｒ、Ｇ、Ｂ）１、（Ｒ、Ｇ、Ｂ）２、（Ｒ、Ｇ、Ｂ）３のうちの中央の画素（Ｒ、Ｇ、Ｂ）２を、左右の画素（Ｒ、Ｇ、Ｂ）１、（Ｒ、Ｇ、Ｂ）３との関係で削除又は付加する場合は、以下の式が色ずれ検出部２５及び補正量演算部２６によって演算される。
Ｒ、Ｇ、Ｂの補正後の信号は、それぞれ以下の式にて求められる。
ΔＲ２ｍ＝Ｋｒｍ×｛ｍｉｎ（Ｒ２，Ｇ２）−ｍｉｎ（Ｒ１，Ｇ１）｝　・・・（１）
ΔＲ２ｐ＝Ｋｒｐ×｛ｍｉｎ（Ｂ１，Ｒ１）−ｍｉｎ（Ｂ２，Ｒ２）｝　　・・・（２）
2004061930.tif 000003
ΔＢ２ｍ＝Ｋｂｍ×｛ｍｉｎ（Ｂ２，Ｇ２）−ｍｉｎ（Ｂ３，Ｇ３）｝　・・・（４）
ΔＢ２ｐ＝Ｋｂｐ×｛ｍｉｎ（Ｒ３，Ｂ３）−ｍｉｎ（Ｒ２，Ｂ２）｝　　・・・（５）
2004061930.tif 000004
ΔＧ２ｍ１＝Ｋｇｍ１×｛ｍｉｎ（Ｇ２，Ｂ２）−ｍｉｎ（Ｇ１，Ｂ１）｝　・・・（７）
ΔＧ２ｍ２＝Ｋｇｍ２×｛ｍｉｎ（Ｇ２，Ｒ２）−ｍｉｎ（Ｇ３，Ｒ３）｝　・・・（８）
2004061930.tif 000005
【００２１】
上記の式において、
ｍｉｎ（Ａ，Ｂ）＝Ａ（Ａ≦Ｂ）、Ｂ（Ａ＞Ｂ）、添え字ｍはマイナス（減算）、ｐはプラス（加算）を意味する。
上記の式におけるＫｒｍ、Ｋｒｐ、Ｋｂｍ、Ｋｂｐ、Ｋｇｍ１、Ｋｇｍ２は、補正量を調整するための補正係数で、補正量演算部２６のＲＯＭに記憶されている。これらの補正係数は、画素の大きさ等のディスプレイ毎に異なる条件によって調整されて画面上で最も効率よく色ずれを補正できる適切な値をとるものである。上記演算式は、上述した輪郭が右に移動する問題、赤と黒の輪郭のように単独信号で表現される色との境界部分で補正を行ってしまう問題などが起こらないように、条件を考慮されたものである。
【００２２】
上記式を用いて具体的に図２の場合と図３の場合を説明する。
図２の場合
（１）式において、ｍｉｎ（Ｒ２，Ｇ２）−ｍｉｎ（Ｒ１，Ｇ１）＝Ｒ２−０＝Ｒ２
∴ΔＲ２ｍ＝Ｋｒｍ×Ｒ２
（２）式において、ｍｉｎ（Ｂ１，Ｒ１）−ｍｉｎ（Ｂ２，Ｒ２）＝０−０＝０
∴ΔＲ２ｐ＝０
（３）式において、Ｒ２´＝Ｒ２−Ｋｒｍ×Ｒ２（＝ΔＲ２ｍ）となって、図２（ｂ）のように補正される。
なお、（４）式の｛｝内は０、（５）式の｛｝内は０であり、Ｂ２´＝Ｂ２＝０となり補正は行われず、また、（７）式の｛｝内は０、（８）式の｛｝内は０であり、Ｇ２´＝Ｇ２となり補正は行われない。
【００２３】
図３の場合
（１）式の｛｝内は０、（２）式の｛｝内は−Ｒ２でΔＲ２ｐ＜０となるため演算には用いず、よって、Ｒ２´＝Ｒ２−０＝Ｒ２となる。（４）式の｛｝内は０、（５）式の｛｝内は０となり、（６）式においてＢ２´＝Ｂ２となる。（７）式の｛｝内は０、（８）式の｛｝内は０となり、（９）式においてＧ２´＝Ｇ２＝０となる。したがって、（Ｒ、Ｇ、Ｂ）２は補正されないこととなる。
しかし、（Ｒ、Ｇ、Ｂ）１の補正については、（Ｒ、Ｇ、Ｂ）０、（Ｒ、Ｇ、Ｂ）１、（Ｒ、Ｇ、Ｂ）２の関係から見る必要がある。（Ｒ、Ｇ、Ｂ）１を補正対象として式に当てはめると、（１）式の｛｝内は０、（２）式の｛｝内は０となり、（３）式においてＲ１´＝Ｒ１＝０となる。（４）式の｛｝内は０、（５）式の｛｝内はＲ１となり、（６）式において、Ｂ１´＝Ｂ１−ΔＢ１ｍ＋ΔＢ１ｐ＝Ｂ１−０＋Ｋｂｐ×Ｒ１となる。（７）式の｛｝内は０、（８）式の｛｝内は０となり、（９）式においてＧ１´＝Ｇ１＝０となる。したがって、図３（ｂ）の先端部に付加すべき補正量は、Ｒ１のＫｂｐ倍となる。
【００２４】
上記演算式を用いることによって、補正箇所と補正量の判断が行われるが、文字やディザ紋様のように画素毎に頻繁に信号レベルが変化するような場合には、上記演算式を用いて補正を行うと、過剰な補正により画像の印象が変わってしまう場合がある。このような問題を避けるため、この演算式以外の部分、例えば、色ずれ検出部２５において補正を行うか否かの判断、及び、どの信号に補正を行うかの判断をさせるようにしてもよい。
【００２５】
例えば、以下のような条件を満たしたときに補正をするようにしてもよい。これらの条件は、使用目的に応じて適宜組合わせることが可能である。
（１）面積が広い領域間の境界のみ補正をする
この場合には、隣接画素の補正量が０の場合のみ補正をするようにする。この判断は色ずれ検出部２５において行い、例えば、１〜３画素程度前までの補正量を調べて、その調べた画素に補正がなされていない場合のみ、着目画素の補正を行うようにする。
（２）色ずれが大きい場合のみ補正をする
この場合には、補正量演算部２６に閾値設定部を具備せしめ、補正量に閾値を設けて一定値以上の場合のみ補正をする。
（３）Ｒ、Ｇ、Ｂ各々の色ずれの目立ち易さに応じて補正量を調整する
この場合には、両画素間の色ずれ発生量が同一レベルであっても、補正量演算部２６のＲＯＭに書き込まれる補正係数をＲ、Ｇ、Ｂ各々の色ずれの目立ち易さに応じてそれぞれ異なる値に設定し、これに基づき補正をすることで対応することができる。
（４）輪郭の両端の色に応じて補正量を調整する
これは、色ずれで生じる色が同じでも、輪郭の両端（暗から明及び明から暗）の色が異なると目立ちやすさが異なることから、この場合には、レベルを増加させるときと減少させるときとで補正量演算部２６のＲＯＭに書き込んでおく補正係数を変えて補正するようにする。
（５）補正が必要な映像信号の場合のみ補正をする
補正量演算部２６の入力側に、映像信号入力端子２４からの信号を判別する信号判別部３０を結合して、この信号判別部３０によって画像の種類を判別し、パソコン画像のような輪郭が明確な画像の場合のみ輪郭色補正を行うようにする。
【００２６】
この本発明によって輪郭色補正を行うと、境界部分の色ずれによって単色が目立ってしまう現象は抑えることが可能であるが、信号レベルを増減することで対応しているため、輪郭部分での色バランスがわずかに崩れてしまうおそれがある。しかし、色バランスが崩れることよりも境界部分で単色が見えてしまうことの方がより目立つため、色バランスが崩れることはさほど問題とならない。
【００２７】
前記実施例においては、３つのセルＲ、Ｇ、Ｂが水平方向に並んで１画素を構成するＰＤＰの場合を例としたので、水平方向の隣接画素同士でＲ、Ｇ、Ｂの各信号について比較することで色ずれを検出するようにした。しかし、本発明はこれに限られるものではなく、例えば、１画素を構成する３つのセルが垂直方向に並んでいるＰＤＰの場合には、垂直方向の隣接画素同士でＲ、Ｇ、Ｂの各信号について比較して色ずれを検出する構成をとることも可能である。また、ＰＤＰに限らず画素サイズの大きな他のディスプレイで生じる色ずれに対しても、同様の方法を用いることにより色ずれの補正を行うことが可能である。
【００２８】
【発明の効果】
請求項１記載の発明によれば、ＰＤＰのような１画素のサイズが大きなディスプレイにおいて、パソコン画像のような輪郭が明確な画像を表示した場合であっても、その輪郭部分で色ずれが発生することがない。
【００２９】
請求項２記載の発明によれば、閾値を設けて一定値以上の場合のみ補正を行うようにしたので、より適切な補正を行うことができる。
【００３０】
請求項３記載の発明によれば、隣接画素の補正量が０の場合のみ着目画素の補正を行うようにしたので、面積の広い領域の境界のみ補正するようにできる。
【００３１】
請求項４記載の発明によれば、信号レベルが一定値以上の信号に隣接した信号部分にのみ補正を行うようにしたので、輪郭のぼけ、輪郭の移動を防ぐことができる。
【００３２】
請求項５記載の発明によれば、色ずれ検出部で検出した両画素間の色ずれ発生量が同一レベルであってもＲ、Ｇ、Ｂの信号毎に補正係数を異なる値に設定して補正量を演算するようにしたので、Ｒ、Ｇ、Ｂ各々で異なる色ずれの目立ち易さに応じた補正を行うことができる。
【００３３】
請求項６記載の発明によれば、暗から明へ信号レベルが変化した場合の色ずれと明から暗へ信号レベルが変化した場合とで補正係数を異なる値に設定して補正量を演算するようにしたので、平均的な色の変化を防ぐことができる。
【００３４】
請求項７記載の発明によれば、補正を演算式に基づいて行うようにし、この補正量を予め設定された補正係数によって補正量を決定するようにしたので、画素の大きさ等のディスプレイ毎に異なる条件によって調整でき、画面上で最も効率よく色ずれを抑える補正を行うことができる。
【００３５】
請求項８記載の発明によれば、信号判別部での判別結果が輪郭の明確な画像と判別した場合のみ補正量を出力するようにしたので、パソコン画像のような輪郭の明確な画像にのみ補正を行うことができる。
【図面の簡単な説明】
【図１】本発明による輪郭色補正回路の構成を示したブロック図である。
【図２】（ａ）は、黒色と黄色の境界で発生した色ずれを示した説明図、（ｂ）は、（ａ）における色ずれを、Ｒ２信号を減少させて補正した説明図である。
【図３】（ａ）は、黒色とマゼンタ色の境界で発生した色ずれを示した説明図、（ｂ）は、（ａ）における色ずれを、Ｂ１信号を増加させて補正した説明図である。
【図４】（ａ）は、黒色とシアン色の境界で発生した色ずれを示した説明図、（ｂ）は、（ａ）における色ずれを、Ｇ２信号を減少させて補正した説明図である。
【図５】（ａ）は、黒色と白色の境界で発生した色ずれを示した説明図、（ｂ）は、（ａ）における色ずれを、Ｒ２信号を減少させて補正した説明図である。
【図６】ＡＣ型のＰＤＰの構造を簡略に示した斜視図である。
【図７】ＰＤＰにおける１画素の構成がＲ、Ｇ、Ｂの３つのセルで構成されている様子を示した模式図である。
【符号の説明】
１０…ＰＤＰ、１１…ガラス基板、１２…Ｘサスティン電極、１３…Ｙサスティン電極、１４…誘電体層、１５…保護層、１６…裏面ガラス基板、１７…アドレス電極、１８…ストライプ状リブ、１９…Ｒ（赤）螢光体、２０…Ｇ（緑）螢光体、２１…Ｂ（青）螢光体、２２…放電空間、２３…バス電極、２４…映像信号入力端子、２５…色ずれ検出部、２６…補正量演算部、２７…加算部、２８…映像信号出力端子、２９…遅延回路、３０…信号判別部、３１…入力端子。
【図１】
2004061930.tif 000006
【図２】
2004061930.tif 000007
【図３】
2004061930.tif 000008
【図４】
2004061930.tif 000009
【図５】
2004061930.tif 000010
【図６】
2004061930.tif 000011
【図７】
2004061930.tif 000012